(57)【要約】実際の視聴環境における周辺機器の配置レイアウトに応じて、高い臨場感が得られる適切な周辺機器制御を行うことを可能とするデータ送信装置、データ送信方法、視聴環境制御装置、視聴環境制御方法、視聴環境制御システム、及び視聴環境制御方法を提供する。データ受信装置２０は、所定の映像データ及び／又は音声データと、仮想的な視聴環境空間に配置された周辺機器（照明装置）の配置パターンを示す識別情報と、この仮想的な視聴環境空間に配置された周辺機器に対応する照明制御データを受信し、照明調光データ生成部では、識別情報と照明制御データ、及び照明配置情報記憶部２５から取得した実際の視聴環境空間における照明装置３２の配置情報に基づいて、実際の照明装置３２を駆動制御するための駆動制御データを生成している。
2010007988.tif 000002
【特許請求の範囲】
【請求項１】
映像データ及び／又は音声データを送信するデータ送信装置であって、
仮想的な視聴環境空間における周辺機器の配置パターンを示す識別情報と、前記仮想的な視聴環境空間における周辺機器に対する視聴環境制御データとを、前記映像データ及び／又は音声データに付加して送信する送信手段を備えたことを特徴とするデータ送信装置。
【請求項２】
前記識別情報によって示される周辺機器の配置パターンは、前記仮想的な視聴環境空間における天井に周辺機器を設置した配置パターンを含むことを特徴とする請求項１に記載のデータ送信装置。
【請求項３】
前記識別情報によって示される周辺機器の配置パターンは、前記仮想的な視聴環境空間における、前記映像データを表示するための映像表示装置の周囲左側に周辺機器を設置した配置パターンを含むことを特徴とする請求項１に記載のデータ送信装置。
【請求項４】
前記識別情報によって示される周辺機器の配置パターンは、前記仮想的な視聴環境空間における、前記映像データを表示するための映像表示装置の周囲右側に周辺機器を設置した配置パターンを含むことを特徴とする請求項１に記載のデータ送信装置。
【請求項５】
前記識別情報によって示される周辺機器の配置パターンは、前記仮想的な視聴環境空間における、前記映像データを表示するための映像表示装置の周囲後背部に周辺機器を設置した配置パターンを含むことを特徴とする請求項１に記載のデータ送信装置。
【請求項６】
前記視聴環境制御データは、前記配置パターンを構成する周辺機器の設置位置を示す位置情報を含むことを特徴とする請求項１乃至５のいずれか１項に記載のデータ送信装置。
【請求項７】
前記視聴環境制御データは、前記配置パターンを構成する周辺機器の設置方向を示す位置情報を含むことを特徴とする請求項１乃至６のいずれか１項に記載のデータ送信装置。
【請求項８】
前記視聴環境制御データは、前記周辺機器に対する駆動優先順位を示す情報を含むことを特徴とする請求項１乃至７のいずれか１項に記載のデータ送信装置。
【請求項９】
前記視聴環境制御データは、前記周辺機器に対する視聴環境制御データの記述方法を表すモード情報を含むことを特徴とする請求項１乃至８のいずれか１項に記載のデータ送信装置。
【請求項１０】
前記モード情報は、前記周辺機器に対する駆動制御値が絶対値によって記述されていることを示す情報を含むことを特徴とする請求項９に記載のデータ送信装置。
【請求項１１】
前記モード情報は、前記周辺機器に対する駆動制御値が他の指定された周辺機器に対する駆動制御値との差分値によって記述されていることを示す情報を含むことを特徴とする請求項９に記載のデータ送信装置。
【請求項１２】
前記モード情報は、前記周辺機器に対する駆動制御値が他の指定された周辺機器に対する駆動制御値との比率値によって記述されていることを示す情報を含むことを特徴とする請求項９に記載のデータ送信装置。
【請求項１３】
前記モード情報は、前記周辺機器に対する駆動制御値が他の指定された周辺機器に対する駆動制御値と同一であることを示す情報を含むことを特徴とする前記請求項９に記載のデータ送信装置。
【請求項１４】
映像データ及び／又は音声データに関連付けて、仮想的な視聴環境空間における周辺機器の配置パターンを示す識別情報と、前記仮想的な視聴環境空間における周辺機器に対する視聴環境制御データとを格納する格納手段と、
外部装置からの送信要求を受けて、所定の映像データ及び／又は音声データに関する識別情報と視聴環境制御データとを、前記送信要求元の外部装置へ送信する送信手段とを備えたことを特徴とするデータ送信装置。
【請求項１５】
前記仮想的な視聴環境空間における周辺機器が、照明装置であることを特徴とする請求項１から１４のいずれか１項に記載のデータ送信装置。
【請求項１６】
前記仮想的な視聴環境空間における周辺機器が、送風装置であることを特徴とする請求項１から１４のいずれか１項に記載のデータ送信装置。
【請求項１７】
映像データ及び／又は音声データを受信するとともに、仮想的な視聴環境空間における周辺機器の配置パターンを示す識別情報と、前記仮想的な視聴環境空間における周辺機器に対する視聴環境制御データとを受信する受信手段と、
実際の視聴環境空間における周辺機器の配置パターンを表す機器配置情報を記憶する記憶手段と、
前記受信手段で受信した識別情報と前記記憶手段に記憶された機器配置情報とを用いて、前記視聴環境制御データを、前記実際の視聴環境空間における周辺機器を駆動制御するための駆動制御データに変換する駆動制御データ生成手段とを備えたことを特徴とする視聴環境制御装置。
【請求項１８】
前記視聴環境制御データは、前記配置パターンを構成する周辺機器の設置位置を示す位置情報を含むことを特徴とする請求項１７に記載の視聴環境制御装置。
【請求項１９】
前記視聴環境制御データは、前記配置パターンを構成する周辺機器の設置方向を示す位置情報を含むことを特徴とする請求項１７または１８に記載のデータ送信装置。
【請求項２０】
前記請求項１７に記載の視聴環境制御装置と、前記映像データ及び／又は音声データを再生するための映像／音声再生装置と、該映像／音声再生装置の周辺に設置された周辺機器とを備えたことを特徴とする視聴環境制御システム。
【請求項２１】
映像データ及び／又は音声データを送信するデータ送信方法であって、
仮想的な視聴環境空間における周辺機器の配置パターンを示す識別情報と、前記仮想的な視聴環境空間における周辺機器に対する視聴環境制御データとを、前記映像データ及び／又は音声データに付加して送信することを特徴とするデータ送信方法。
【請求項２２】
映像データ及び／又は音声データに関連付けて、仮想的な視聴環境空間における周辺機器の配置パターンを示す識別情報と、前記仮想的な視聴環境空間における周辺機器に対する視聴環境制御データとを格納しており、
外部装置からの送信要求を受けて、所定の映像データ及び／又は音声データに関する識別情報と視聴環境制御データとを、前記送信要求元の外部装置へ送信することを特徴とするデータ送信方法。
【請求項２３】
映像データ及び／又は音声データを受信するステップ、
仮想的な視聴環境空間における周辺機器の配置パターンを示す識別情報と、前記仮想的な視聴環境空間における周辺機器に対する視聴環境制御データとを受信するステップ、
実際の視聴環境空間における周辺機器の配置パターンを表す機器配置情報を記憶するステップ、
および、前記受信した識別情報と前記記憶された機器配置情報とを用いて、前記視聴環境制御データを、前記実際の視聴環境空間における周辺機器を駆動制御するための駆動制御データに変換するステップを有することを特徴とする視聴環境制御方法。
【発明の詳細な説明】
【技術分野】
【０００１】
本発明は、データ送信装置、データ送信方法、視聴環境制御装置、視聴環境制御システム、及び視聴環境制御方法に関し、特に、臨場感の高い映像／音声コンテンツの視聴を実現するための、ユーザの視聴環境空間における周辺機器を制御するためのデータ送信装置、データ送信方法、視聴環境制御装置、視聴環境制御システム、及び視聴環境制御方法に関する。
【背景技術】
【０００２】
近年、映像・音声に係るエレクトロニクス技術の急速な進歩により、ディスプレイの大型化、広視野角化、高精細化やサラウンドシステムの向上が進み、臨場感のある映像や音声が楽しめるようになってきている。例えば、現在普及しつつあるホームシアターシステムにおいては、大型ディスプレイやスクリーンと多チャンネル音声・音響技術との組み合わせにより、高い臨場感を得ることができるシステムを実現している。【０００３】
また、特に最近では、単に一つの表示装置で映像を楽しむものではなく、複数のディスプレイを組み合わせて広視野な映像を視聴するシステムや、ディスプレイに表示される映像と照明装置の照明光とを連動させるシステムなどが提案されており、複数のメディアを組み合わせて、より臨場感が高められるようなシステムの開発が盛んに行われている。【０００４】
特に、ディスプレイと照明装置とを連動させて高い臨場感を実現する技術においては、大型ディスプレイを用いなくても高い臨場感が得られることから、コストや設置スペース等の制約が少なく、大きな期待が寄せられ、大変注目を浴びている。【０００５】
この技術によれば、視聴者の部屋（視聴環境空間）に設置されている複数の照明装置の照明光を、ディスプレイに表示される映像に応じた色や強さにコントロールすることにより、視聴者があたかもディスプレイに映し出されている映像空間の中に実在するかのような感覚・効果を与えることができる。このようなディスプレイに表示される画像と照明装置の照明光とを連動させる技術は、例えば、特許文献１に開示されている。【０００６】
ここに開示されている技術は、高い臨場感を提供することを目的としたもので、複数の照明装置を表示すべき映像に連動させて制御する照明システムにおいて、映像データの特徴量（代表色、平均輝度）から複数の照明装置に対する照明制御データを生成する方法が記載されている。具体的には、各照明装置の設置位置に応じて予め決められた画面領域の映像データの特徴量を検出し、この検出された特徴量に基づいて各照明装置に対する照明制御データを生成することが記載されている。【０００７】
また、照明制御データは、映像データの特徴量から演算して求めるものに限らず、単独で或いは映像データとともに、インターネット等を介して配信されるものや、搬送波により配信されるものを用いてもよいことが記載されている。
【先行技術文献】
【特許文献】
【０００８】
【特許文献１】特開２００１−３４３９００号公報
【発明の概要】
【発明が解決しようとする課題】
【０００９】
上述したとおり、特許文献１には、照明制御データがインターネット等を介して外部より配信されてもよいことが記載されている。しかしながら、この照明制御データは、予め決められた照明装置のレイアウト（仮想的な視聴環境空間における照明装置の設置位置）のみに対応した照明制御データであり、ユーザ毎に千差万別である照明装置の配置レイアウトに応じて適切な照明制御を行うことができないという問題がある。【００１０】
本発明は、上記従来技術の問題点に鑑みてなされたものであり、実際の視聴環境空間における周辺機器の配置レイアウト等に応じて、適切な周辺機器の制御を行うことを可能とするデータ送信装置、データ送信方法、視聴環境制御装置、視聴環境制御方法、視聴環境制御システム、及び視聴環境制御方法を提供することを、その目的とする。
【課題を解決するための手段】
【００１１】
上記課題を解決するために、本発明の第１の技術手段は、映像データ及び／又は音声データを送信するデータ送信装置であって、仮想的な視聴環境空間における周辺機器の配置パターンを示す識別情報と、前記仮想的な視聴環境空間における周辺機器に対する視聴環境制御データとを、前記映像データ及び／又は音声データに付加して送信する送信手段を備えたことを特徴としたものである。【００１２】
第２の技術手段は、第１の技術手段において、前記識別情報によって示される周辺機器の配置パターンは、前記仮想的な視聴環境空間における天井に周辺機器を設置した配置パターンを含むことを特徴としたものである。【００１３】
第３の技術手段は、第１の技術手段において、前記識別情報によって示される周辺機器の配置パターンは、前記仮想的な視聴環境空間における、前記映像データを表示するための映像表示装置の周囲左側に周辺機器を設置した配置パターンを含むことを特徴としたものである。【００１４】
第４の技術手段は、第１の技術手段において、前記識別情報によって示される周辺機器の配置パターンは、前記仮想的な視聴環境空間における、前記映像データを表示するための映像表示装置の周囲右側に周辺機器を設置した配置パターンを含むことを特徴としたものである。【００１５】
第５の技術手段は、第１の技術手段において、前記識別情報によって示される周辺機器の配置パターンは、前記仮想的な視聴環境空間における、前記映像データを表示するための映像表示装置の周囲後背部に周辺機器を設置した配置パターンを含むことを特徴としたものである。【００１６】
第６の技術手段は、第１乃至５のいずれかの技術手段において、前記視聴環境制御データは、前記配置パターンを構成する周辺機器の設置位置を示す位置情報を含むことを特徴としたものである。【００１７】
第７の技術手段は、第１乃至６のいずれかの技術手段において、前記視聴環境制御データは、前記配置パターンを構成する周辺機器の設置方向を示す位置情報を含むことを特徴としたものである。【００１８】
第８の技術手段は、第１乃至７のいずれかの技術手段において、前記視聴環境制御データは、前記周辺機器に対する駆動優先順位を示す情報を含むことを特徴としたものである。【００１９】
第９の技術手段は、第１乃至８のいずれかの技術手段において、前記視聴環境制御データは、前記周辺機器に対する視聴環境制御データの記述方法を表すモード情報を含むことを特徴としたものである。【００２０】
第１０の技術手段は、第９の技術手段において、前記モード情報は、前記周辺機器に対する駆動制御値が絶対値によって記述されていることを示す情報を含むことを特徴としたものである。【００２１】
第１１の技術手段は、第９の技術手段において、前記モード情報は、前記周辺機器に対する駆動制御値が他の指定された周辺機器に対する駆動制御値との差分値によって記述されていることを示す情報を含むことを特徴としたものである。【００２２】
第１２の技術手段は、第９の技術手段において、前記モード情報は、前記周辺機器に対する駆動制御値が他の指定された周辺機器に対する駆動制御値との比率値によって記述されていることを示す情報を含むことを特徴としたものである。【００２３】
第１３の技術手段は、第９の技術手段において、前記モード情報は、前記周辺機器に対する駆動制御値が他の指定された周辺機器に対する駆動制御値と同一であることを示す情報を含むことを特徴としたものである。【００２４】
第１４の技術手段は、映像データ及び／又は音声データに関連付けて、仮想的な視聴環境空間における周辺機器の配置パターンを示す識別情報と、前記仮想的な視聴環境空間における周辺機器に対する視聴環境制御データとを格納する格納手段と、外部装置からの送信要求を受けて、所定の映像データ及び／又は音声データに関する識別情報と視聴環境制御データとを、前記送信要求元の外部装置へ送信する送信手段とを備えたことを特徴としたものである。【００２５】
第１５の技術手段は、第１乃至１４のいずれかの技術手段において、前記仮想的な視聴環境空間における周辺機器が、照明装置であることを特徴としたものである。【００２６】
第１６の技術手段は、第１乃至１４のいずれかの技術手段において、前記仮想的な視聴環境空間における周辺機器が、送風装置であることを特徴としたものである。【００２７】
第１７の技術手段は、映像データ及び／又は音声データを受信するとともに、仮想的な視聴環境空間における周辺機器の配置パターンを示す識別情報と、前記仮想的な視聴環境空間における周辺機器に対する視聴環境制御データとを受信する受信手段と、実際の視聴環境空間における周辺機器の配置パターンを表す機器配置情報を記憶する記憶手段と、前記受信手段で受信した識別情報と前記記憶手段に記憶された機器配置情報とを用いて、前記視聴環境制御データを、前記実際の視聴環境空間における周辺機器を駆動制御するための駆動制御データに変換する駆動制御データ生成手段とを備えたことを特徴としたものである。【００２８】
第１８の技術手段は、第１７の技術手段において、前記視聴環境制御データは、前記配置パターンを構成する周辺機器の設置位置を示す位置情報を含むことを特徴としたものである。【００２９】
第１９の技術手段は、第１７または１８の技術手段において、前記視聴環境制御データは、前記配置パターンを構成する周辺機器の設置方向を示す位置情報を含むことを特徴としたものである。【００３０】
第２０の技術手段は、第１７の技術手段と、前記映像データ及び／又は音声データを再生するための映像／音声再生装置と、該映像／音声再生装置の周辺に設置された周辺機器とを備えたことを特徴としたものである。【００３１】
第２１の技術手段は、映像データ及び／又は音声データを送信するデータ送信方法であって、仮想的な視聴環境空間における周辺機器の配置パターンを示す識別情報と、前記仮想的な視聴環境空間における周辺機器に対する視聴環境制御データとを、前記映像データ及び／又は音声データに付加して送信することを特徴としたものである。【００３２】
第２２の技術手段は、映像データ及び／又は音声データに関連付けて、仮想的な視聴環境空間における周辺機器の配置パターンを示す識別情報と、前記仮想的な視聴環境空間における周辺機器に対する視聴環境制御データとを格納しており、外部装置からの送信要求を受けて、所定の映像データ及び／又は音声データに関する識別情報と視聴環境制御データとを、前記送信要求元の外部装置へ送信することを特徴としたものである。【００３３】
第２３の技術手段は、映像データ及び／又は音声データを受信するステップ、仮想的な視聴環境空間における周辺機器の配置パターンを示す識別情報と、前記仮想的な視聴環境空間における周辺機器に対する視聴環境制御データとを受信するステップ、実際の視聴環境空間における周辺機器の配置パターンを表す機器配置情報を記憶するステップ、および、前記受信した識別情報と前記記憶された機器配置情報とを用いて、前記視聴環境制御データを、前記実際の視聴環境空間における周辺機器を駆動制御するための駆動制御データに変換するステップを有することを特徴としたものである。
【発明の効果】
【００３４】
本発明によれば、所定の映像及び／又は音声コンテンツに対して、仮想的な視聴環境空間に配置された周辺機器の配置パターンを示す識別情報と、この仮想的な視聴環境空間に配置された周辺機器を制御するための視聴環境制御データを送信することにより、視聴環境制御データが、どのような視聴環境空間における周辺機器の配置パターンを想定して生成されたのかを検知することが可能となり、実際の視聴環境空間に配置された周辺機器を駆動制御するための駆動制御データへの変換が可能となるため、適切な視聴環境空間の制御が可能となることから、ユーザに高い臨場感が得られる視聴環境を提供することができる。
【図面の簡単な説明】
【００３５】
【図１】本発明の一実施態様に係るデータ送信装置の概略構成例を示すブロック図である。
【図２】本発明の実施態様に係る識別情報の記述内容の一例を示す図である。
【図３】視聴環境空間における照明装置の配置の一例を示す図である。
【図４】視聴環境空間の一例を示す図である。
【図５】視聴環境空間における照明装置の配置の他の一例を示す図である。
【図６】視聴環境空間の他の一例を示す図である。
【図７】本発明の一実施態様に係る視聴環境制御システムの概略構成例を示すブロック図である。
【図８】視野の分類を示す図である。
【図９】照明制御データの記述内容の一例を示す図である。
【図１０】優先度情報の一例を示す図である。
【図１１】モード情報の一例を示す図である。
【図１２】照明制御データをＸＭＬ文書で記述した一例を示す説明図である。
【図１３】照明制御データに対応するＸＭＬスキーマを示す説明図である。
【図１４】本発明の他の実施態様に係る複数の照明装置の配置パターンおよび各照明装置の位置を記述する際に参照するテーブルの構成を示した図である。
【図１５】照明配置例を説明するための図である。
【図１６】本発明の他の実施態様に係る複数の送風機の配置パターンおよび各送風機の位置を記述する際に参照するテーブルの構成を示した図である。
【図１７】本発明の他の実施態様に係る照明と送風機の配置パターンおよび位置をＸＭＬ文書で記述した例を示す説明図である。
【図１８】制御対象照明決定に関する動作フロー図である。
【図１９】照明装置における光照射方向の一例を説明するための図である。
【図２０】各周辺機器の位置を記述する際に参照するテーブルの他の構成例を示した図である。
【図２１】本発明のさらに他の実施態様に係る外部サーバ装置の要部概略構成を示すブロック図である。
【図２２】本発明のさらに他の実施態様に係るデータ受信装置の要部概略構成を示すブロック図である。
【発明を実施するための形態】
【００３６】
以下、本発明の実施態様に係るデータ送信装置、データ送信方法、視聴環境制御装置、及び視聴環境制御システムについて、視聴環境空間に配置された周辺機器として主に照明装置を例に説明するが、視聴環境を制御する装置であれば照明装置に限られるものではなく、空調機、送風機、振動装置、香り発生装置などにも適用できるものである。
【００３７】
（実施態様１）
図１は、本発明の一実施態様に係るデータ送信装置の概略構成例を示すブロック図である。
本実施態様におけるデータ送信装置１０は、データ多重化部１１、および送信部１２から構成される。
入力された映像データは、圧縮符号化され、データ多重化部１１へ出力される。映像符号化には、ＩＳＯ／ＩＥＣ  １３８１８−２（ＭＰＥＧ−２  Ｖｉｄｅｏ），ＩＳＯ／ＩＥＣ  １４４９６−２（ＭＰＥＧ−４  Ｖｉｓｕａｌ），ＩＳＯ／ＩＥＣ  １４４９６−１０（ＭＰＥＧ−４  ＡＶＣ）など、さまざまな圧縮方式が利用可能である。
同様に、入力された音声データは、圧縮符号化され、データ多重化部１１へ出力される。音声符号化には、ＩＳＯ／ＩＥＣ  １３８１８−７（ＭＰＥＧ−２  ＡＡＣ）、ＩＳＯ／ＩＥＣ  １４４９６−３（ＭＰＥＧ−４  Ａｕｄｉｏ）など、さまざまな圧縮方式が利用可能である。
【００３８】
さらに、識別情報、および照明制御データは、圧縮符号化され、データ多重化部１１へ出力される。なお、識別情報、および照明制御データの詳細は後述する。識別情報、および照明制御の記述方法としては、例えば、ＸＭＬ（Ｅｘｔｅｎｓｉｂｌｅ  Ｍａｒｋｕｐ  Ｌａｎｇｕａｇｅ）形式などが用いられる。また、視聴環境制御データの圧縮方式には、ＩＳＯ／ＩＥＣ  １５９３８−１（ＭＰＥＧ−７  Ｓｙｓｔｅｍｓ）におけるＢｉＭ（Ｂｉｎａｒｙ  ｆｏｒｍａｔ  ｆｏｒ  ＭＰＥＧ−７）方式などが利用可能である。あるいは、圧縮せずにＸＭＬ形式のまま出力するようにしてもよい。
符号化された映像データ、音声データ、および識別情報、および照明制御データは、データ多重化部１１で多重化され、送信部１２を介して、伝送または蓄積される。多重化方式としては、例えば、ＩＳＯ／ＩＥＣ  １３８１８−１（ＭＰＥＧ−２  Ｓｙｓｔｅｍｓ）におけるＭＰＥＧ−２トランスポートストリームパケット（ＴＳＰ）、ＩＰパケット、ＲＴＰパケット等を用いることができる。
【００３９】
例えば、ＭＰＥＧ−２で規定されたトランスポートストリームパケット（ＴＳＰ）を用いる場合、ＭＰＥＧ−２で規定された情報が記述されたヘッダに続けて、拡張ヘッダ部分に視聴環境制御データを記述し、さらに、拡張ヘッダに続くペイロードで映像データ及び音声データを伝送することが可能である。あるいは、識別情報、および照明制御データを、映像データや音声データと同様に、ペイロードで伝送するようにしてもよい。また、映像データ、音声データ、識別情報、および照明制御データのそれぞれの異なるデータストリームを多重して伝送するようにしてもよい。
【００４０】
ここで、識別情報とは、仮想的な視聴環境空間における周辺装置の配置パターンを示すもので、照明装置の場合は、聴環境空間に配置された照明装置の配置パターン（照明装置の場合は照明装置の配置場所に関する情報とともに、例えばどのような照明方法をとっているかといった情報やどこを照明するかという情報、照射方向や照射角度などを示す情報を含んでいてもよい。）を示すものであって、図２は、照明装置の配置パターンに係る識別情報（チャンネルタイプＩＤ）の一例として、照明装置のチャンネル数、チャンネル番号毎の照明装置の配置場所、及び照明方法が定義されている場合を示したものである。
【００４１】
図２において、チャンネルタイプＩＤが“１”に設定された場合は、２台の照明装置Ｃｈ１とＣｈ２を備えており、Ｃｈ１が映像表示装置（ディスプレイ）の背面（周囲）を照明（間接照明）し、Ｃｈ２は天井から下方を照明（直接照明）するような照明配置パターンを表している。
図３は、チャンネルタイプＩＤが“１”の場合に定義される、照明装置３２（Ｃｈ１とＣｈ２）のディスプレイ３０に対する配置パターンを示したものであり、Ｃｈ１はディスプレイ３０の下部に、Ｃｈ２は天井に配置されている。また、図４は、チャンネルタイプＩＤが“１”の場合に対応した視聴環境空間を示したものであり、Ｃｈ１によって、ディスプレイ３０の背面（周囲）が、またＣｈ２によって天井から空間全体が照明されることを示している。
【００４２】
また、図２において、チャンネルタイプＩＤが“２”に設定された場合、２台の照明装置Ｃｈ１とＣｈ２を備えており、Ｃｈ１がディスプレイの背面左側を照明（間接照明）し、Ｃｈ２がディスプレイの背面右側を照明（間接照明）するような照明配置パターンを表している。
図５は、チャンネルタイプＩＤが“２”の場合に定義される、照明装置３２（Ｃｈ１とＣｈ２）のディスプレイ３０に対する配置パターンを示したものであり、Ｃｈ１がディスプレイ３０の左側に、Ｃｈ２がディスプレイ３０の右側に配置されている。そして、図６は、チャンネルタイプＩＤが“２”の場合に対応した視聴環境空間を示したものであり、Ｃｈ１によって、ディスプレイ３０の左側背面が、またＣｈ２によってディスプレイ３０の右側背面が照明されることを示している。
【００４３】
なお、図２に示す例では、識別情報（チャンネルタイプＩＤ）を８ｂｉｔ（２５６個）分確保しており、他の照明配置パターンを定義することができる。なお、照明のチャンネル数についても、２チャンネルに限らず１以上のチャンネルについてその配置パターンを定義してもよいことは言うまでもない。
例えば、図示しないが、照明装置の設置場所は、図５で示す場合と同様にディスプレイの左右に各１台を配置し、視聴者側へ向かって直接照明をおこなうことが想定される場合は、例えばチャンネルタイプＩＤ“３”によって、「チャンネル数２、Ｃｈ１：左；直接、Ｃｈ２：右；直接」を定義すればよい。
【００４４】
次に、照明制御データは、後で詳述するが、仮想的な視聴環境空間に配置された照明装置に対する視聴環境制御データをなすものであり、識別情報により定義された配置パターンを構成する各チャンネルの照明装置を駆動制御するための制御データである。
したがって、識別情報で示される照明装置の配置パターンは、照明制御データが生成される前提となる視聴環境を表すものであるといえる。
【００４５】
そして、照明制御データは、映像／音声データに連動して提供されるものであるが、必ずしも映像データのフレーム毎に付加される必要はなく、ストーリ上のつながりがある映像データのシーンやショット毎に付加するなど、適当な間隔をもって定期的に或いは不定期に映像データに付加されるものでもよい。
【００４６】
なお、本実施態様では、映像データと、音声データと、識別情報、および照明制御データの４種類のデータを多重化した後に放送データとして送信する構成としているが、多重化することは必須の要件ではなく、必要に応じて適切な送信方法を選択すればよい。例えば、それぞれのデータを多重化せず個別に送信してもよいし、さらに、映像データと音声データは多重化し、識別情報と照明制御データとを独立して送信するなどしてもよい。
【００４７】
さらに、後述するように、識別情報と照明制御データについては、インターネット等を通じてアクセス可能な外部サーバ装置に蓄積しておき、この蓄積した識別情報と照明制御データを識別するためのＵＲＬ（Ｕｎｉｆｏｒｍ  Ｒｅｓｏｕｒｃｅ  Ｌｏｃａｔｏｒ）等を映像データとともに多重化して送信するようにしてもよい。また、識別情報と照明制御データを映像データと異なるネットワークで送信する場合には、識別情報と照明制御データを映像データと関連づける情報として、先述のＵＲＬに限らず、コンテンツ名など、識別情報および照明制御データと映像データとの対応関係が特定できる情報であればよい。
【００４８】
なお、識別情報、および照明制御データを映像／音声多重化データと異なるネットワークで送信する場合に、識別情報、および照明制御データと映像／音声多重化データとを関連づける特定情報としては、先述のＵＲＬに限らず、ＴＶ−Ａｎｙｔｉｍｅ規格におけるＣＲＩＤ（Ｃｏｎｔｅｎｔ  Ｒｅｆｅｒｅｎｃｅ  ＩＤ）、コンテンツ名など、映像／音声多重化データと識別情報、および照明制御データとの対応関係が特定できる特定情報であればよい。
あるいは、識別情報、および照明制御データのみ別の記録媒体に記録して配布するようにしてもよい。例えば、映像／音声データは、Ｂｌｕ−ｒａｙ  Ｄｉｓｃ、ＤＶＤなどの大容量記録媒体で配布し、識別情報、および照明制御データは、小型半導体記録媒体等で配布する場合が挙げられる。この場合にも、複数のコンテンツを記録して配布する際には、映像／音声データと識別情報、および照明制御データとの対応関係を明らかにできる特定情報が必要となる。
なお、本実施態様では、識別情報と照明制御データとを別データとして取り扱っているが、両者のデータ内容を含む一つのデータ形式で記述してもよいことは言うまでもない。
【００４９】
図７は、本発明の一実施態様に係る視聴環境制御システムの概略構成例を示すブロック図である。図中、２０はデータ受信装置、３０は映像表示装置(以下、ディスプレイという。)、３１は音声再生装置、３２は照明装置を示す。
データ受信装置２０は、受信部２１、データ分離部２２、ディレイ発生部２３ａ，２３ｂ、駆動制御データ生成手段としての照明調光データ生成部２４、および機器配置情報を記憶するための手段としての照明配置情報記憶部２５を備える。
データ受信装置２０は、受信部２１において映像データ、音声データ、識別情報、および照明制御データが多重されている放送データを受信し、データ分離部２２において、放送データから映像データ、音声データ、識別情報、および照明制御データを分離する。
【００５０】
データ分離部２２において分離された映像データと音声データは、その映像データと音声データの開始時刻を示すＴＣ（タイムコード）とともにディレイ発生部２３ａ，２３ｂに送信され、ディレイ発生部２３ａを介して映像データが映像表示装置３０へ送られ、ディレイ発生部２３ｂを介して音声データが音声再生装置３１へ送られる。また、データ分離部２２において分離された識別情報と照明制御データは、照明調光データ生成部２４へ送られる。
【００５１】
照明配置情報記憶部２５は、視聴者の視聴環境空間(実空間)に設置されている各照明装置３２の配置情報を記憶するものであり、照明調光データ生成部２４の命令により照明装置３２の配置情報を適宜照明調光データ生成部２４へ送る。
ここで、例えば、視聴者の視聴環境空間が、図３に示されるように、映像表示装置３０の周辺に２個の照明装置３２が設置されており、照明装置Ｃｈ１は床上設置型で間接照明を行うものであり、照明装置Ｃｈ２は天井設置型で直接照明を行うものであるような場合、各照明装置３２をその設置位置に応じて個別制御することができるように、照明配置情報記憶部２５には、照明装置の個数と、映像表示装置３０に対する相対位置及び照明方法に関する情報を蓄積しておく必要がある。
このため、例えば、ユーザの視聴空間に配置された個々の照明装置に対応する識別子を付与し、照明配置情報記憶部２５は、前記識別子毎に映像表示装置３０に対する相対位置及び照明方法に関する情報をテーブル形式で保持する構成とすればよい。
【００５２】
照明調光データ生成部２４では、データ分離部２２で分離された識別情報と照明制御データ、及び照明配置情報記憶部２５から取得した実際の視聴環境空間における照明装置３２の配置情報に基づいて、視聴者の実際の視聴環境空間に設置されている照明装置３２を駆動制御するための駆動制御データを近似（例えば、左と右の照明制御データを受信したが、中央に１つしか照明装置がない場合、２つの照明制御データの平均値を実際の照明制御データに近似するなど）して照明調光データ（ＲＧＢデータ）を生成し、これを照明装置３２に出力する。
【００５３】
なお、照明装置３２へ送られる照明調光データは、映像データおよび音声データと出力タイミングを合わせる必要があるため、例えば照明調光データ生成部２４において実際の視聴環境に対応した照明調光データへの変換に必要する時間だけ、データ分離部２２で分離された映像データと音声データを遅らせ、照明調光データと同期をとるためのディレイ発生部２３ａ，２３ｂを設けている。
【００５４】
照明装置３２としては、例えば独立して発光制御することが可能なＲ（赤），Ｇ（緑），Ｂ（青）各色のＬＥＤ光源が一定の周期で配列されたものを用いることができ、これら３原色のＬＥＤ光源により所望の色、輝度からなる照明光を出射する。ただし、照明装置３２は、映像表示装置３０の周囲環境の照明色及び明るさを制御することができるような構成であればよく、上記のような所定色を発光するＬＥＤ光源の組み合わせに限ることなく、白色ＬＥＤと色フィルタとによって構成してもよく、あるいは白色電球や蛍光管とカラーフィルタとの組み合わせやカラーランプ等を適用することもできる。さらに、Ｒ（赤），Ｇ（緑），Ｂ（青）各色による表現に限ることなく、例えば照明色温度（単位：Ｋ）を利用して表現してもよい。なお、図７ではＲＧＢデータによって照明装置３２を駆動する場合を示している。
【００５５】
また、視聴環境制御システムのデータ受信装置２０は、映像表示装置３０や音声再生装置３１と一体的に設けられてもよいし、それぞれ別体として設けられてもよい。
【００５６】
上述したように、本実施態様におけるデータ受信装置２０は、外部より取得した識別情報と照明制御データに基づいて、駆動制御データを近似することにより、実際の視聴環境空間に設置された照明装置３２を適切に制御することが可能となる。
【００５７】
次に、照明装置に関する視聴環境制御データである照明制御データについて、図面とともに説明する。
図９は照明制御データの記述内容の一例を示すものであり。仮想的な視聴環境空間における１つ以上の照明装置の配置パターンを表すチャンネルタイプＩＤ（識別情報）、複数の照明装置を発光させるための優先順位を表す優先度情報（図１０に示す）、複数の照明装置の明るさや色の記述方法を表すモード情報（図１１に示す）、複数の照明装置の明るさや色を求める際に参照するリファレンス照明を意味する参照Ｃｈ(チャンネル)、照明の明るさ情報、照明色温度情報を有している。なお、図示しないが、必要に応じて照明方法を記載することも可能である。なお、明るさの表現には、ルクス（ｌｘ）でなく、カンデラ（Ｃｄ）や、ルーメン（ｌｍ）等を用いてもよい。また、色の表現には、色温度でなく、ＸＹＺ表色系、ＲＧＢ表色系、ＹＣｂＣｒ表色系等を用いてもよい。
これらの情報はいずれも、映像データのシーンの雰囲気や臨場感を照明光によって演出するために有用な情報である。
【００５８】
ここで、畑田らによると、図８に示すように人間の視野は視機能の働きにより、弁別視野１０１、有効視野１０２、誘導視野１０３、補助視野１０４に分類される。（畑田豊彦，坂田晴夫，日下秀夫，“画面サイズによる方向感覚誘導効果‐大画面による臨場感の基礎実験‐”，テレビジョン学会誌，Ｖｏｌ．３３，Ｎｏ．５，ｐｐ．４０７−４１３（１９７９））
弁別視野１０１は、図形識別など高密度な情報を正確に受容できる範囲であり、有効視野１０２は、弁別能力が弁別視野１０１より低下するが眼球運動のみで自然な情報受容ができる範囲である。また、誘導視野１０３は、呈示刺激の存在や簡単な識別ができる程度の認識能力しかないが、全体的な外界情報を判断する際に影響を持つ範囲である。補助視野１０４は、刺激の存在のみが判別できる範囲である。
【００５９】
ところで、現在のハイビジョンテレビは、上記のうち有効視野１０２を覆う範囲に映像を表示するよう設計されている。つまり誘導視野１０３や補助視野１０４には映像や照明等の情報を表示していない。従って、誘導視野１０３や補助視野１０４にも照明を照射することで、より臨場感が高まることが期待できる。
【００６０】
例えば、先述した図３で示した照明装置の配置によって実現される図４の視聴環境空間では、ディスプレイ３０の背面を照明することで、ディスプレイ３０の周囲の誘導視野や補助視野を照明によって覆い臨場感を高めるだけでなく、さらに天井から照明することで環境光を再現することが実現できる。
【００６１】
さらに、先述した図５で示した照明装置の配置によって実現される図６の視聴環境空間では、ディスプレイ３０の背面を照明することで、ディスプレイ周囲の誘導視野や補助視野を照明によって覆い臨場感を高めるだけでなく、さらにディスプレイ３０の左右の照明の明るさや色を変化させることで、光の方向性を再現することが実現できる。
【００６２】
図１０は、優先度情報の一例を示す図である。
ここでは、複数の照明装置を発光させるための優先順位を表す情報の例を示しており、例えば優先度を５段階（低い、やや低い、普通、やや高い、高い）と設定し、優先度の高い照明だけを照射することを可能としている。これによって、受信側の照明数や配置場所に制限があり、仮想的な視聴環境空間における照明配置パターンと実際の視聴環境空間における照明配置状況が異なる場合であっても、優先度の最も高い照明の照明値を参照することで、送信側が優先的に点灯をさせたいと望む照明状況を受信側で実現することができる。
【００６３】
図１１は、モード情報の一例を示す図である。
ここでは、複数の照明装置の明るさや色の記述方法を表すモード情報の例を有しており、例えば基準となるリファレンス照明ＲｅｆＩＤに対して、他の照明の照明値の記述方法を設定することを示している。モードが“Ａｂｓ”の場合は、照明装置毎に照明の明るさと色に関する絶対値を記述する。モードが“Ｒｅｌ”の場合は、照明装置毎にリファレンス照明ＲｅｆＩＤに対する照明の明るさと色に関する差分値または比率値を記述する。モードが“Ｅｑｕ”の場合は、照明装置毎にリファレンス照明ＲｅｆＩＤと同値であるとして、Ｅｑｕと記述する。
【００６４】
モード“Ａｂｓ”で複数の照明装置の明るさや色を記述する場合に対して、例えばモード“Ｒｅｌ”を使用することによりリファレンス照明よりも周囲の照度（単位：ｌｘ）を１００ｌｘ上げる場合や、色温度を１０００Ｋ下げる場合、周囲の照度を１０％上げる場合や、色温度を２０％下げる場合において、複数の照明装置の明るさや色を表すデータ量の削減となり有効である。さらに、モード“Ａｂｓ”で複数の照明装置の明るさや色を記述する場合に対して、例えばモード“Ｅｑｕ”を使用することによりリファレンス照明と周囲の照明の明るさや色が同値である場合において、複数の照明装置の明るさや色を表すデータ量の削減となり有効である。
【００６５】
図１２は、照明制御データをＸＭＬ形式に記述した一例を説明するための図であり、図１３は、照明制御データに対応するＸＭＬスキーマ示す説明図である。
図１２において、チャネルタイプＩＤは２と記述されていることから、この照明制御データは、図２の識別情報におけるチャンネルタイプＩＤ“２”の配置パターンに対応した照明装置の配置に対応しており、図５で示した照明装置の配置における照明装置のための制御データを記述したものであることが分かる。
そして、２台の照明装置の照明制御データのそれぞれを識別するためのチャンネルＩＤが、それぞれａ、ｂであり、当該照明制御データに対応する照明装置のＣｈ番号は、“１”、“２”である。すなわち、位置情報“１”は図５で示した照明装置Ｃｈ１の属性であることを、位置情報“２”は照明装置Ｃｈ２の属性であることを示している。
【００６６】
また、チャンネルＩＤ“ａ”、“ｂ”の照明制御データはいずれも優先度が５となっている。チャンネルＩＤ“ａ”の照明制御データは照度値２００ｌｘ、色温度３０００Ｋであり、チャンネルＩＤ“ｂ”の照明制御データはチャンネルＩＤ“ａ”の照明制御データに対して照度値が＋５０ｌｘとなる２５０ｌｘ、色温度は特に記載がないため同値である３０００Ｋとなる。
なお、ＲｅｌやＥｑｕなどのモード情報の参照チャネルについては、ＣｏｎｔｒｏｌＤａｔａ毎にチャンネルＩＤを付加することで参照を行うことができるが、参照先はＣｏｎｔｒｏｌＤａｔａ毎のチャンネルＩＤに限定することなく、例えば位置情報を参照してもよい。
【００６７】
データ受信装置２０は、放送データに含まれる映像データ及び／又は音声データ、識別情報および照明制御データを受信し、照明調光データ生成部２４では、この識別情報と照明制御データ、及び照明配置情報記憶部２５から取得した実際の照明装置３２の配置情報に基づいて、実際の照明装置３２を駆動制御するための駆動制御データを生成するが、その方法について説明する。
まず、照明調光データ生成部２４は、識別情報で示される仮想上の照明装置の配置パターンと照明配置情報記憶部２５から取得した実際の視聴環境空間における照明装置３２の配置情報とを比較し、両者の照明装置の個数、配置場所、照明方法が一致しておれば、仮想的な視聴環境空間を想定して作成された照明制御データを補正することなく、実際の照明装置を駆動制御するためのデータに変換する。
【００６８】
また、両者の照明装置の個数、配置場所、照明方法が一致しない場合は、例えば、両者の個々の照明装置の配置場所と照明方法による被照明場所（壁面、ディスプレイなど）の位置や大きさ、あるいは照明装置と被照明場所との距離や光照射方向と被照明場所との角度等を比較することにより、照明制御データのうち、被照明場所の位置や大きさが実際の照明装置の配置に近いものを利用したり、複数の仮想的な照明装置に対する照明制御データ（例えば、照明の明るさや照明色温度）の重みづけ平均値などを算出し、実際の照明装置の照明制御データとして適用することができる。その際に、照明制御データの優先度情報を考慮することも有用であり、各種変換方法を利用することができる。
【００６９】
例えば、放送データに、チャンネルタイプＩＤ“１”で示される配置パターンの識別情報と、これに対応した照明制御データが含まれており、実際の視聴者の視聴環境空間が図５で示す照明装置の配置であった場合、識別情報で示される仮想上の照明装置の配置パターンと照明配置情報記憶部２５から取得した実際の視聴環境空間における照明装置３２の配置情報とを比較しても、両者の照明装置の個数、配置場所、照明方法が一致しない。
しかし、個々の被照明場所の位置や大きさを比較すると、仮想的な視聴環境空間における照明装置Ｃｈ１はディスプレイの背面周囲を照明しており、この照明場所は実際の視聴環境空間では照明装置Ｃｈ１とＣｈ２とで行っているため、(図４、図６参照)、照明制御データのうち、照明装置Ｃｈ１の照明制御データを実際の視聴環境空間における照明装置Ｃｈ１，Ｃｈ２に適用することが可能となる。
【００７０】
また、これらの関係が反対の場合、すなわち、仮想的な視聴環境空間がチャンネルタイプＩＤ“２”で示される配置パターンで、実際の視聴者の視聴環境空間が図３で示す照明装置の配置であった場合、チャンネルタイプＩＤ“２”の照明装置Ｃｈ１とＣｈ２の照明制御データの値から、実際の視聴空間における照明装置Ｃｈ１に適用する照明制御データを算出することが可能であり、この場合、照明措置Ｃｈ１とＣｈ２の各優先度を考慮した照明制御データの明るさや色温度の加重平均値をそれぞれの照明制御データとすればよい。また、実際の視聴空間における照明装置Ｃｈ２に適用する照明制御データは、実際の視聴空間における照明装置Ｃｈ１の算出結果を適用すればよい。
【００７１】
（実施態様２）
本発明の第２の実施態様について、図面を参照しながら説明する。本実施態様におけるデータ送信装置およびデータ受信装置の概略構成は、図１および図７と同様のため詳細な説明は省略する。
まず、照明装置の例を説明する。図１４は、複数の照明装置の配置パターンおよび各照明装置の位置を記述する際に参照するテーブルの構成を示した図である。参照テーブルは、視聴環境空間における照明装置の配置パターンを示す第１のテーブル（Ｔ１６）と、各照明装置の位置を示す第２のテーブル（Ｔ１６ａ，Ｔ１６ｂ，Ｔ１６ｃ，Ｔ１６ｄ）とから構成される。
【００７２】
データ送信装置１０は、照明配置パターンを示す値（ＣｈａｎｎｅｌＴｙｐｅＩＤ）と、各照明装置の位置を示す値（Ｐｏｓｉｔｉｏｎ）および各照明装置の制御データとを送信する。例えば、コンテンツ制作者が、ディスプレイの背面および天井に照明装置がある環境を想定して制御データを送信する場合、図１４におけるテーブルＴ１６ａで定義されるデータを使用する。この場合、ＣｈａｎｎｅｌＴｙｐｅＩＤ＝０とし、背面照明を制御するデータにはＰｏｓｉｔｉｏｎ＝０を、天井照明を制御するデータにはＰｏｓｉｔｉｏｎ＝１のデータを照明制御データに付加して送信する。また、コンテンツ制作者が、テーブルＴ１６ｃのような多チャンネルの照明装置がある環境を想定する場合、ＣｈａｎｎｅｌＴｙｐｅＩＤ＝２とし、右照明を制御するデータにはＰｏｓｉｔｉｏｎ＝２を、左照明を制御するデータにはＰｏｓｉｔｉｏｎ＝６のデータを照明制御データに付加して送信する。ここで、照明制御データとは、照明の明るさや色温度、時間情報などの制御パラメータを指す。
【００７３】
さらに、照明位置は、外部の規格（以降「規格Ａ」という。）や仕様（以降「仕様Ｂ」という。）によって定義されてもよく、この場合は、配置パターンを示す第１のテーブルＴ１６に、規格名（規格Ａ）や仕様名（仕様Ｂ）を記載し、各照明の位置を示す第２のテーブルＴ１６ｄはそれぞれの規格で定義される位置情報を元に決められる。例えば、規格Ａで定義される照明配置に基づいた制御データを送信するためには、ＣｈａｎｎｅｌＴｙｐｅＩＤ＝３とし、Ｐｏｓｉｔｉｏｎの値は、規格Ａの定義をもとにあらかじめ決められた値を用いる。
【００７４】
このように、本実施態様では、視聴環境空間における周辺機器としての、例えば照明装置の配置パターンを示す第１のテーブルと位置を示す第２のテーブルとを参照して制御対象照明装置を決定する。
よく使われる典型的な照明配置パターンを第１および第２のテーブルとしてあらかじめ定義しておくことで、視聴者は、配置パターンに基づき照明環境設定（照明制御データに対応する照明装置のセッティング等）を行うことが可能となる。また、コンテンツ制作者側も、あらかじめ定義された配置パターンに基づいて、照明制御値を設計することができるので、照明制御データ作成の負担を軽減することができる。
【００７５】
このように２つのテーブルを用いて配置を定義することで、例えば、配置タイプ１は、ディスプレイと左右の照明装置が一直線になるような配置（図１５（Ａ））を規定しているが、同じ左右への配置でも、ディスプレイ面に対して３０°手前への配置（図１５（Ｂ））を規定する場合に、新たな配置パターン（図１５（Ｂ））を定義した第２のテーブルを追加し、該配置パターンを示すフィールドを第１のテーブルへ追加するだけで、既存の定義に影響を与えることなく拡張することができる。
なお、上記Ｐｏｓｉｔｉｏｎの付加は必須ではなく、ＣｈａｎｎｅｌＴｙｐｅＩＤによって定義されるすべての位置に対する制御データをあらかじめ定められた順にしたがって記述すると事前に決めておくことによって省略も可能である。Ｐｏｓｉｔｉｏｎを付加する場合、必要最低限の制御データのみを記述（例えば、テーブルＴ１６ｃにおいて、右照明のみの制御データ伝送する場合、Ｐｏｓｉｔｉｏｎ＝２の制御データのみを記述）すればよいので、データ量を削減することができる。
【００７６】
次に、送風機の例を説明する。送風機の場合、制御データは風速（ｍ／ｓ）や回転数（ｒ／ｍ）などのパラメータとなる。図１６は、複数の送風機の配置パターンおよび各送風機の位置を記述する際に参照するテーブルの構成を示した図である。視聴環境空間における送風機の位置は、照明装置の場合と同様、配置パターンを示す第１のテーブル（Ｔ１７）と、位置を示す第２のテーブル（Ｔ１７ａ，Ｔ１７ｂ，Ｔ１７ｃ，Ｔ１７ｄ）とから構成される。このような構成とすることで、既存の定義に影響を与えることなく拡張が可能である。
【００７７】
次に、照明装置と送風機が混在する場合について説明する。図１７は、照明と送風機の配置パターンおよび位置をＸＭＬ文書で記述した例を示した図である。図１７において、時間情報や、照明の明るさや色温度、送風機の風速などの具体的な制御パラメータの記載は省略している。位置（Ｐｏｓｉｔｉｏｎ）は、照明／送風機制御データ単位（Ｅｆｆｅｃｔ要素単位）で記述されている。配置パターン（ＣｈａｎｎｅｌＴｙｐｅＩＤ）に関し、図１７（Ａ）は、照明／送風機制御データ単位で記述した例である。図１７（Ｂ）は、複数の照明／送風機制御データ単位（ＧｒｏｕｐＯｆＥｆｆｅｃｔ要素単位）で記述した例である。図１７（Ｃ）は、制御データ全体（ＳＥＭ要素）で記述した例である。ここでは、配置パターン（ＣｈａｎｎｅｌＴｙｐｅＩＤ）および位置（Ｐｏｓｉｔｉｏｎ）をＸＭＬ属性（Ａｔｔｒｉｂｕｔｅ）として記述しているが、ＸＭＬ要素（ｅｌｅｍｅｎｔ）として記述してもよい。また、ＣｈａｎｎｅｌＴｙｐｅＩＤを別のＸＭＬ文書に記述し参照するようにしてもよい。
次に、データ受信装置２０の動作について説明する。データ受信装置２０は、照明配置パターンを示すＣｈａｎｎｅｌＴｙｐｅＩＤと、各照明の位置を示すＰｏｓｉｔｉｏｎを受信すると、第１のテーブルおよび第２のテーブルを参照し、制御データが関連付けられている照明位置を決定する。
【００７８】
図１８は、照明調光データ生成部２４における制御対象照明決定に関する動作フロー図である。まず、配置パターン情報（ＣｈａｎｎｅｌＴｙｐｅＩＤ）を取得し（ステップＳ１９１）、第１のテーブルに基づき、位置情報の決定に用いる第２のテーブルを選択する（ステップＳ１９２）。次に、位置情報（Ｐｏｓｉｔｉｏｎ）を取得し（ステップＳ１９３）、これと第２のテーブルから制御データが関連付けられている照明位置を決定する（ステップＳ１９４）。続いて、制御データを取得し（ステップＳ１９５）、ステップＳ１９４で決定した位置に対応する機器を制御する（ステップＳ１９６）。
【００７９】
また、図１４、図１６における第２のテーブルや視聴環境制御データには、各周辺機器の位置だけでなく、方向（光照射方向、風向き）を記述するようにしてもよい。図１９は、照明装置における光照射方向の一例を説明するための図である。図１９（Ａ）は視聴空間を上から見た図であり、図１９（Ｂ）は視聴空間を水平方向（横）から見た図である。この例では、光照射方向を、床面におけるディスプレイと視聴者を結んだ線を基準に、水平方向の第１の角度（水平角）と、垂直方向の第２の角度（垂直角）によって記述する。送風機の風向きの場合も同様に水平角と垂直角によって記述できる。あるいは、視聴者からディスプレイへの法線や、視聴者とディスプレイの中心を結んだ線などを基準にしてもよい。
本実施態様における配置パターンおよび位置の記述方法は、照明や送風機に限定されるものではなく、香り発生装置や効果音発生装置などの周辺機器にも同様に適用可能であることは言うまでもない。
【００８０】
（実施態様３）
本発明の第３の実施態様について、図面を参照しながら説明する。図２０は、各周辺機器の位置を記述する際に参照するテーブルの他の構成例を示した図である。参照テーブルは、“左”、“右”、“前”といった位置（Ｐｏｓｉｔｉｏｎ）を規定する第１のテーブルと、利用可能な位置のリストと各利用可能位置の配置詳細とを規定する第２のテーブルとから構成される。図２０の第１のテーブルにおけるＰｏｓｉｔｉｏｎの定義は一例であり、視聴環境空間の特定の壁面に含まれる位置をまとめて“左面”、“右面”、“前面”といった面を定義してもよい。例えば、第１のテーブルにおける左前と左と左後をまとめて左面と定義したり、第１のテーブルにおける右前と右と右後をまとめて右面と定義してもよい。
【００８１】
配置詳細は、第２のテーブルに記載してもよいし、ＣｈａｎｎｅｌＴｙｐｅＩＤ＝５または６の場合のように、外部の定義を参照するように規格名（規格Ａ）や仕様名（仕様Ｂ）を記載してもよい。図２０の第２のテーブルにおけるＣｈａｎｎｅｌＴｙｐｅＩＤの定義は一例であり、「すべての位置が利用可能」、「配置詳細はユーザ定義」などのＣｈａｎｎｅｌＴｙｐｅＩＤを定義してもよい。
また、左右への配置として、例えば、図１５（Ｂ）に示すような配置を追加したい場合、第２のテーブルに、ＣｈａｎｎｅｌＴｙｐｅＩＤ＝７として「３：ディスプレイ面に対して３０°の位置、７：ディスプレイ面に対して３０°の位置」等を追加定義することにより、既存の定義に影響を与えることなく容易に拡張することができる。
【００８２】
上記テーブル構成とすることにより、同じ位置（例えば、第１のテーブルにおける左と右）に対する配置でも、視聴環境やコンテンツ制作者の意図に応じ、第２のテーブルにおいて種々のパターンを定義することができる。
上記テーブル構成は、実施態様２と同様、照明装置に限定されるものではなく、送風機、香り発生装置、効果音発生装置などの周辺機器にも同様に適用可能であることは言うまでもない。
【００８３】
（実施態様４）
上記本発明の実施態様１、２および３においては、識別情報と照明制御データとが付加データとして放送データに付加されて送信される場合について説明したが、放送データに付加データが付加されていない場合、視聴する映像データ及び／又は音声データに対応する識別情報と照明制御データを外部サーバ装置等より送受信することによって、映像データ及び／又は音声データ再生時の最適な視聴環境を実現することが可能となる。
【００８４】
図２１は、本発明の実施態様４に係る外部サーバ装置の要部構成例を示すブロック図である。
本実施態様における外部サーバ装置４０は、本発明のデータ送信装置に相当し、データ受信装置側から特定の映像データ及び／又は音声データ（コンテンツ）に関する識別情報と照明制御データの送信要求を受信する受信部４１と、映像データ及び／又は音声データ（コンテンツ）毎の識別情報と照明制御データを格納している照明制御データ格納部４２と、送信要求を受けた識別情報と照明制御データを、要求元のデータ受信装置へ送信する送信部４３を備えている。
【００８５】
ここで、本実施態様の照明制御データ格納部４２に格納されている照明制御データは、図示しないが、コンテンツ制作者等が意図する任意のセグメント（例えば、シーンやショット）の開始タイムコードを記述し、送信要求を受けた映像データ及び／又は音声データ（コンテンツ）の照明制御データを、映像データ及び／又は音声データ（セグメント）の開始時刻を示すＴＣ（タイムコード）とともに、送信部４３より要求元のデータ受信装置へ送信するようになっている。また、コンテンツ制作者等が意図する任意のセグメント（例えば、シーンやショット）にＩＤを付加し、送信要求を受けた映像データ及び／又は音声データ（コンテンツ）の照明制御データを、セグメントのＩＤとともに、送信部４３より要求元のデータ受信装置へ送信するようにしてもよい。
【００８６】
次に、外部サーバ装置４０より送出された識別情報と照明制御データを受けて、視聴環境照明を制御するデータ受信装置（本発明の視聴環境制御装置に相当する。）を含むシステム構成について説明する。
図２２は、本発明の実施態様４に係る視聴環境制御システムの要部構成例を示すブロック図である。図中、５０はデータ受信装置、６０は映像表示装置、６１は音声再生装置、６２は照明装置を示す。
データ受信装置５０は、伝送路より入力された放送データを受信して復調するとともに、誤り訂正を行う受信部５１と、受信部５１の出力データから、映像表示装置６０に出力する映像データ、音声再生装置６１に出力する音声データのそれぞれを分離・抽出するデータ分離部５２とを備えている。
【００８７】
また、データ受信装置５０は、照明調光データ生成部５６からの指示に基づいて、表示する映像データ（コンテンツ）に対応した識別情報と照明制御データの送信要求を、通信ネットワークを介して外部サーバ装置４０に送出する送信部５７と、送信要求した識別情報と照明制御データを、通信ネットワークを介して外部サーバ装置４０より受信する受信部５４とを備えている。
【００８８】
照明配置情報記憶部５５は、視聴者の視聴環境空間(実空間)に設置されている各照明装置６２の配置情報を記憶するものであり、照明調光データ生成部５６の命令により照明装置６２の配置情報を適宜照明調光データ生成部２４へ送る。照明配置情報記憶部５５は、実施態様１の照明配置情報記憶部２５と同様のものであるので、詳細な説明は省略する。
【００８９】
同様に、照明調光データ生成部５６は、受信部５４から受信した識別情報と照明制御データ、及び照明配置情報記憶部５５から取得した照明装置６２の配置情報に基づいて、視聴者の実際の視聴環境空間に設置されている照明装置６２を適切に制御するための照明調光データ（ＲＧＢデータ）を生成し、これを照明装置３２に出力するものであり、識別情報と照明制御データの送信要求を行う以外は、実施態様１における照明調光データ生成部２４と同じものであるので説明を省略する。
【００９０】
なお、前述の実施態様１で説明したように、照明装置６２へ送られる照明調光データは、映像データおよび音声データと出力タイミングを合わせる必要があるため、例えば照明調光データ生成部５６において実際の視聴環境に対応した照明調光データへ変換するのに必要な時間だけ、データ分離部５２で分離された映像データと音声データを遅らせ、照明調光データと同期をとるためのディレイ発生部５３ａ，５３ｂを設けている。
【００９１】
これによって、放送データに識別情報と照明制御データが付加されていない場合であっても、映像データ及び／又は音声データ（番組コンテンツ）に対応する識別情報と照明制御データを外部サーバ装置より入手し、この識別情報と照明制御データに基づいて、視聴環境照明を制御する構成としているので、上述した実施態様１と同様、データ量の増加を抑制しつつ、映像制作者の意図に応じた任意のタイミングで視聴環境照明の切替制御を行うとともに、最適な視聴環境の照明制御を実現することが可能となる。
【００９２】
上述したように、上記実施態様１、２、３および４においては、識別情報（チャンネルタイプＩＤ）と照明制御データを常にペアで送信、あるいは受信するようにしているため、照明制御データがどのような仮想的な視聴環境空間における照明装置の配置パターンを前提に作成されたものであるかを検知することができ、従って、実際の視聴環境空間における照明装置の配置状況に合わせて、前記照明制御データを適切な照明調光データに変換することが可能である。
【００９３】
本発明のデータ送信装置、データ送信方法、視聴環境制御装置、視聴環境制御システム、及び視聴環境制御方法は、上述した本発明の主旨を逸脱しない範囲で、様々な実施態様により実現することが可能である。例えば、視聴環境制御装置は映像表示装置内に設けられてもよく、入力映像データに含まれる種々の情報に基づいて、外部の照明機器を制御することができるような構成としてもよいことは言うまでもない。
【００９４】
また、上記実施態様では、仮想的な視聴環境空間に配置された周辺機器として照明装置を例に説明したが、本発明は照明装置に限られるものではなく、空調機、送風機、振動装置、香り発生装置など、視聴環境に影響を与える周辺機器に対して適用できるものであることは言うまでもない。これら視聴環境に影響を与える周辺機器に対して本発明を適用する場合は、例えば風や香りがどちらへ向かって吹いているかといった演出効果の出力位置／方向を含む配置パターンを、識別情報によって定義すればよい。
【００９５】
なお、本発明において、映像データ及び／又は音声データ（コンテンツ）は、テレビジョン放送によって伝送されるテレビジョン番組に係るコンテンツに限らず、Ｂｌｕ−ｒａｙ  ＤｉｓｃやＤＶＤなどのメディア媒体に格納された作品に係るコンテンツであってもよい。すなわち、入力映像データはテレビジョン放送を受信して得られるものに限らず、外部再生装置より再生された映像データを入力する場合にも、本発明を適用することが可能である。
【符号の説明】
【００９６】
１０…データ送信装置、１１…データ多重部、１２…送信部、２０…データ受信装置、２１，５１…受信部、２２，５２…データ分離部、２３ａ，２３ｂ，５３ａ，５３ｂ…ディレイ発生部、２４，５６…照明調光データ生成部、２５，５５…照明配置情報記憶部、３０，６０…映像表示装置、３１，６１…音声再生装置、３２，６２…照明装置、４０…外部サーバ装置、４１…受信部、４２…照明制御データ格納部、４３…送信部、５４…受信部、５７…送信部。
【図１】
2010007988.tif 000003
【図２】
2010007988.tif 000004
【図３】
2010007988.tif 000005
【図４】
2010007988.tif 000006
【図５】
2010007988.tif 000007
【図６】
2010007988.tif 000008
【図７】
2010007988.tif 000009
【図８】
2010007988.tif 000010
【図９】
2010007988.tif 000011
【図１０】
2010007988.tif 000012
【図１１】
2010007988.tif 000013
【図１２】
2010007988.tif 000014
【図１３】
2010007988.tif 000015
【図１４】
2010007988.tif 000016
【図１５】
2010007988.tif 000017
【図１６】
2010007988.tif 000018
【図１７】
2010007988.tif 000019
【図１８】
2010007988.tif 000020
【図１９】
2010007988.tif 000021
【図２０】
2010007988.tif 000022
【図２１】
2010007988.tif 000023
【図２２】
2010007988.tif 000024
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
映像データ及び／又は音声データを送信するデータ送信装置であって、
仮想的な視聴環境空間における周辺機器の水平方向および垂直方向の配置を含む配置パターンを示す識別情報と、前記仮想的な視聴環境空間における周辺機器に対する視聴環境制御データとを、前記映像データ及び／又は音声データに付加して送信する送信手段を備えたことを特徴とするデータ送信装置。
【請求項２】
前記識別情報によって示される周辺機器の配置パターンは、前記仮想的な視聴環境空間における天井に周辺機器を設置した配置パターンを含むことを特徴とする請求項１に記載のデータ送信装置。
【請求項３】
前記識別情報によって示される周辺機器の配置パターンは、前記仮想的な視聴環境空間における、前記映像データを表示するための映像表示装置の周囲左側に周辺機器を設置した配置パターンを含むことを特徴とする請求項１に記載のデータ送信装置。
【請求項４】
前記識別情報によって示される周辺機器の配置パターンは、前記仮想的な視聴環境空間における、前記映像データを表示するための映像表示装置の周囲右側に周辺機器を設置した配置パターンを含むことを特徴とする請求項１に記載のデータ送信装置。
【請求項５】
前記識別情報によって示される周辺機器の配置パターンは、前記仮想的な視聴環境空間における、前記映像データを表示するための映像表示装置の周囲後背部に周辺機器を設置した配置パターンを含むことを特徴とする請求項１に記載のデータ送信装置。
【請求項６】
前記視聴環境制御データは、前記配置パターンを構成する周辺機器の設置位置を示す位置情報を含むことを特徴とする請求項１乃至５のいずれか１項に記載のデータ送信装置。
【請求項７】
前記視聴環境制御データは、前記配置パターンを構成する周辺機器の設置方向を示す位置情報を含むことを特徴とする請求項１乃至６のいずれか１項に記載のデータ送信装置。
【請求項８】
前記視聴環境制御データは、前記周辺機器に対する駆動優先順位を示す情報を含むことを特徴とする請求項１乃至７のいずれか１項に記載のデータ送信装置。
【請求項９】
前記視聴環境制御データは、前記周辺機器に対する視聴環境制御データの記述方法を表すモード情報を含むことを特徴とする請求項１乃至８のいずれか１項に記載のデータ送信装置。
【請求項１０】
前記モード情報は、前記周辺機器に対する駆動制御値が絶対値によって記述されていることを示す情報を含むことを特徴とする請求項９に記載のデータ送信装置。
【請求項１１】
前記モード情報は、前記周辺機器に対する駆動制御値が他の指定された周辺機器に対する駆動制御値との差分値によって記述されていることを示す情報を含むことを特徴とする請求項９に記載のデータ送信装置。
【請求項１２】
前記モード情報は、前記周辺機器に対する駆動制御値が他の指定された周辺機器に対する駆動制御値との比率値によって記述されていることを示す情報を含むことを特徴とする請求項９に記載のデータ送信装置。
【請求項１３】
前記モード情報は、前記周辺機器に対する駆動制御値が他の指定された周辺機器に対する駆動制御値と同一であることを示す情報を含むことを特徴とする前記請求項９に記載のデータ送信装置。
【請求項１４】
映像データ及び／又は音声データに関連付けて、仮想的な視聴環境空間における周辺機器の水平方向および垂直方向の配置を含む配置パターンを示す識別情報と、前記仮想的な視聴環境空間における周辺機器に対する視聴環境制御データとを格納する格納手段と、
外部装置からの送信要求を受けて、所定の映像データ及び／又は音声データに関する識別情報と視聴環境制御データとを、前記送信要求元の外部装置へ送信する送信手段とを備えたことを特徴とするデータ送信装置。
【請求項１５】
前記仮想的な視聴環境空間における周辺機器が、照明装置であることを特徴とする請求項１から１４のいずれか１項に記載のデータ送信装置。
【請求項１６】
前記仮想的な視聴環境空間における周辺機器が、送風装置であることを特徴とする請求項１から１４のいずれか１項に記載のデータ送信装置。
【請求項１７】
映像データ及び／又は音声データを受信するとともに、仮想的な視聴環境空間における周辺機器の水平方向および垂直方向の配置を含む配置パターンを示す識別情報と、前記仮想的な視聴環境空間における周辺機器に対する視聴環境制御データとを受信する受信手段と、
実際の視聴環境空間における周辺機器の配置パターンを表す機器配置情報を記憶する記憶手段と、
前記受信手段で受信した識別情報と前記記憶手段に記憶された機器配置情報とを用いて、前記視聴環境制御データを、前記実際の視聴環境空間における周辺機器を駆動制御するための駆動制御データに変換する駆動制御データ生成手段とを備えたことを特徴とする視聴環境制御装置。
【請求項１８】
前記視聴環境制御データは、前記配置パターンを構成する周辺機器の設置位置を示す位置情報を含むことを特徴とする請求項１７に記載の視聴環境制御装置。
【請求項１９】
前記視聴環境制御データは、前記配置パターンを構成する周辺機器の設置方向を示す位置情報を含むことを特徴とする請求項１７または１８に記載の視聴環境制御装置。
【請求項２０】
前記請求項１７に記載の視聴環境制御装置と、前記映像データ及び／又は音声データを再生するための映像／音声再生装置と、該映像／音声再生装置の周辺に設置された周辺機器とを備えたことを特徴とする視聴環境制御システム。
【請求項２１】
映像データ及び／又は音声データを送信するデータ送信方法であって、
仮想的な視聴環境空間における周辺機器の水平方向および垂直方向の配置を含む配置パターンを示す識別情報と、前記仮想的な視聴環境空間における周辺機器に対する視聴環境制御データとを、前記映像データ及び／又は音声データに付加して送信することを特徴とするデータ送信方法。
【請求項２２】
映像データ及び／又は音声データに関連付けて、仮想的な視聴環境空間における周辺機器の水平方向および垂直方向の配置を含む配置パターンを示す識別情報と、前記仮想的な視聴環境空間における周辺機器に対する視聴環境制御データとを格納しており、
外部装置からの送信要求を受けて、所定の映像データ及び／又は音声データに関する識別情報と視聴環境制御データとを、前記送信要求元の外部装置へ送信することを特徴とするデータ送信方法。
【請求項２３】
映像データ及び／又は音声データを受信するステップ、
仮想的な視聴環境空間における周辺機器の水平方向および垂直方向の配置を含む配置パターンを示す識別情報と、前記仮想的な視聴環境空間における周辺機器に対する視聴環境制御データとを受信するステップ、
実際の視聴環境空間における周辺機器の配置パターンを表す機器配置情報を記憶するステップ、
および、前記受信した識別情報と前記記憶された機器配置情報とを用いて、前記視聴環境制御データを、前記実際の視聴環境空間における周辺機器を駆動制御するための駆動制御データに変換するステップを有することを特徴とする視聴環境制御方法。
【手続補正２】
【補正対象書類名】明細書
【補正対象項目名】０００３
【補正方法】変更
【補正の内容】
【０００３】
［００１０］
本発明は、上記従来技術の問題点に鑑みてなされたものであり、実際の視聴環境空間における周辺機器の配置レイアウト等に応じて、適切な周辺機器の制御を行うことを可能とするデータ送信装置、データ送信方法、視聴環境制御装置、視聴環境制御方法、視聴環境制御システム、及び視聴環境制御方法を提供することを、その目的とする。
課題を解決するための手段
［００１１］
上記課題を解決するために、本発明の第１の技術手段は、映像データ及び／又は音声データを送信するデータ送信装置であって、仮想的な視聴環境空間における周辺機器の水平方向および垂直方向の配置を含む配置パターンを示す識別情報と、前記仮想的な視聴環境空間における周辺機器に対する視聴環境制御データとを、前記映像データ及び／又は音声データに付加して送信する送信手段を備えたことを特徴としたものである。
［００１２］
第２の技術手段は、第１の技術手段において、前記識別情報によって示される周辺機器の配置パターンは、前記仮想的な視聴環境空間における天井に周辺機器を設置した配置パターンを含むことを特徴としたものである。
［００１３］
第３の技術手段は、第１の技術手段において、前記識別情報によって示される周辺機器の配置パターンは、前記仮想的な視聴環境空間における、前記映像データを表示するための映像表示装置の周囲左側に周辺機器を設置した配置パターンを含むことを特徴としたものである。
［００１４］
第４の技術手段は、第１の技術手段において、前記識別情報によって示される周辺機器の配置パターンは、前記仮想的な視聴環境空間における、前記映像データを表示するための映像表示装置の周囲右側に周辺機器を設置した配置パターンを含むことを特徴としたものである。
［００１５］
第５の技術手段は、第１の技術手段において、前記識別情報によって示される周辺機器の配置パターンは、前記仮想的な視聴環境空間における、前記映像データを表示するための映像表示装置の周囲後背部に周辺機器を設置した配置パターンを含むことを特徴としたものである。
［００１６］
第６の技術手段は、第１乃至５のいずれかの技術手段において、前記視聴
【手続補正３】
【補正対象書類名】明細書
【補正対象項目名】０００４
【補正方法】変更
【補正の内容】
【０００４】
環境制御データは、前記配置パターンを構成する周辺機器の設置位置を示す位置情報を含むことを特徴としたものである。
［００１７］
第７の技術手段は、第１乃至６のいずれかの技術手段において、前記視聴環境制御データは、前記配置パターンを構成する周辺機器の設置方向を示す位置情報を含むことを特徴としたものである。
［００１８］
第８の技術手段は、第１乃至７のいずれかの技術手段において、前記視聴環境制御データは、前記周辺機器に対する駆動優先順位を示す情報を含むことを特徴としたものである。
［００１９］
第９の技術手段は、第１乃至８のいずれかの技術手段において、前記視聴環境制御データは、前記周辺機器に対する視聴環境制御データの記述方法を表すモード情報を含むことを特徴としたものである。
［００２０］
第１０の技術手段は、第９の技術手段において、前記モード情報は、前記周辺機器に対する駆動制御値が絶対値によって記述されていることを示す情報を含むことを特徴としたものである。
［００２１］
第１１の技術手段は、第９の技術手段において、前記モード情報は、前記周辺機器に対する駆動制御値が他の指定された周辺機器に対する駆動制御値との差分値によって記述されていることを示す情報を含むことを特徴としたものである。
［００２２］
第１２の技術手段は、第９の技術手段において、前記モード情報は、前記周辺機器に対する駆動制御値が他の指定された周辺機器に対する駆動制御値との比率値によって記述されていることを示す情報を含むことを特徴としたものである。
［００２３］
第１３の技術手段は、第９の技術手段において、前記モード情報は、前記周辺機器に対する駆動制御値が他の指定された周辺機器に対する駆動制御値と同一であることを示す情報を含むことを特徴としたものである。
［００２４］
第１４の技術手段は、映像データ及び／又は音声データに関連付けて、仮想的な視聴環境空間における周辺機器の水平方向および垂直方向の配置を含む配置パターンを示す識別情報と、前記仮想的な視聴環境空間における
【手続補正４】
【補正対象書類名】明細書
【補正対象項目名】０００５
【補正方法】変更
【補正の内容】
【０００５】
周辺機器に対する視聴環境制御データとを格納する格納手段と、外部装置からの送信要求を受けて、所定の映像データ及び／又は音声データに関する識別情報と視聴環境制御データとを、前記送信要求元の外部装置へ送信する送信手段とを備えたことを特徴としたものである。
［００２５］
第１５の技術手段は、第１乃至１４のいずれかの技術手段において、前記仮想的な視聴環境空間における周辺機器が、照明装置であることを特徴としたものである。
［００２６］
第１６の技術手段は、第１乃至１４のいずれかの技術手段において、前記仮想的な視聴環境空間における周辺機器が、送風装置であることを特徴としたものである。
［００２７］
第１７の技術手段は、映像データ及び／又は音声データを受信するとともに、仮想的な視聴環境空間における周辺機器の水平方向および垂直方向の配置を含む配置パターンを示す識別情報と、前記仮想的な視聴環境空間における周辺機器に対する視聴環境制御データとを受信する受信手段と、実際の視聴環境空間における周辺機器の配置パターンを表す機器配置情報を記憶する記憶手段と、前記受信手段で受信した識別情報と前記記憶手段に記憶された機器配置情報とを用いて、前記視聴環境制御データを、前記実際の視聴環境空間における周辺機器を駆動制御するための駆動制御データに変換する駆動制御データ生成手段とを備えたことを特徴としたものである。
［００２８］
第１８の技術手段は、第１７の技術手段において、前記視聴環境制御データは、前記配置パターンを構成する周辺機器の設置位置を示す位置情報を含むことを特徴としたものである。
［００２９］
第１９の技術手段は、第１７または１８の技術手段において、前記視聴環境制御データは、前記配置パターンを構成する周辺機器の設置方向を示す位置情報を含むことを特徴としたものである。
［００３０］
第２０の技術手段は、第１７の技術手段と、前記映像データ及び／又は音声データを再生するための映像／音声再生装置と、該映像／音声再生装置の周辺に設置された周辺機器とを備えたことを特徴としたものである。
【手続補正５】
【補正対象書類名】明細書
【補正対象項目名】０００６
【補正方法】変更
【補正の内容】
【０００６】
［００３１］
第２１の技術手段は、映像データ及び／又は音声データを送信するデータ送信方法であって、仮想的な視聴環境空間における周辺機器の水平方向および垂直方向の配置を含む配置パターンを示す識別情報と、前記仮想的な視聴環境空間における周辺機器に対する視聴環境制御データとを、前記映像データ及び／又は音声データに付加して送信することを特徴としたものである。
［００３２］
第２２の技術手段は、映像データ及び／又は音声データに関連付けて、仮想的な視聴環境空間における周辺機器の水平方向および垂直方向の配置を含む配置パターンを示す識別情報と、前記仮想的な視聴環境空間における周辺機器に対する視聴環境制御データとを格納しており、外部装置からの送信要求を受けて、所定の映像データ及び／又は音声データに関する識別情報と視聴環境制御データとを、前記送信要求元の外部装置へ送信することを特徴としたものである。
［００３３］
第２３の技術手段は、映像データ及び／又は音声データを受信するステップ、仮想的な視聴環境空間における周辺機器の水平方向および垂直方向の配置を含む配置パターンを示す識別情報と、前記仮想的な視聴環境空間における周辺機器に対する視聴環境制御データとを受信するステップ、実際の視聴環境空間における周辺機器の配置パターンを表す機器配置情報を記憶するステップ、および、前記受信した識別情報と前記記憶された機器配置情報とを用いて、前記視聴環境制御データを、前記実際の視聴環境空間における周辺機器を駆動制御するための駆動制御データに変換するステップを有することを特徴としたものである。
発明の効果
［００３４］
本発明によれば、所定の映像及び／又は音声コンテンツに対して、仮想的な視聴環境空間に配置された周辺機器の配置パターンを示す識別情報と、この仮想的な視聴環境空間に配置された周辺機器を制御するための視聴環境制御データを送信することにより、視聴環境制御データが、どのような視聴環境空間における周辺機器の配置パターンを想定して生成されたのかを検知することが可能となり、実際の視聴環境空間に配置された周辺機器を駆動制御するための駆動制御データへの変換が可能となるため、適切な視聴環境空間の制御が可能となることから、ユーザに高い臨場感が得られる視聴環境を提
【国際調査報告】
2010007988.tif 000025
2010007988.tif 000026
2010007988.tif 000027